(57)【要約】【課題】  十分な通風量が確保され、防犯性に優れた建物用ドアを提供する。【解決手段】  ドア本体（Ｂ）に上下方向に連続する開口部（６）を形成し、その開口部の屋外側部分にガラリ（１０）を設けるとともに、同開口部の屋内側部分にその開口部を開閉する子扉（１１）を取付け、その子扉を閉位置に鎖錠する子扉ロック機構（１３）を設けた。【選択図】      図６
2005207152.tif 000002
【特許請求の範囲】
【請求項１】
ドア本体に上下方向に連続する開口部を形成し、その開口部の屋外側部分にガラリを設けるとともに、同開口部の屋内側部分にその開口部を開閉する子扉を取付け、その子扉を閉位置に鎖錠する子扉ロック機構を設けたことを特徴とする建物用ドア。
【請求項２】
枠体の屋外側にガラリを設け、同枠体の屋内側に子扉を回転軸により回動自在に支持し、同枠体の上部に前記回転軸を回転する駆動部を設け、同枠体に子扉を閉位置に鎖錠する子扉ロック機構を取付けてなる通気ユニットを、ドア本体の開口部に嵌合して屋内側において前記枠体を前記ドア本体に固着して構成されていることを特徴とする請求項１に記載の建物用ドア。
【請求項３】
駆動部には子扉の回転軸の回転及びその回転角度を制御する制御部が電気的に接続されていることを特徴とする請求項２に記載の建物用ドア。
【請求項４】
ドア本体又は通気ユニットにドアから一定範囲内の人の存否を検知する人間センサを設け、その人間センサの存在検知信号に基づいて開放状態の子扉を閉鎖し、不在検知信号に基づいて閉鎖状態の子扉を開放するように駆動部を制御する制御部を通気ユニットに設けたことを特徴とする請求項３に記載の建物用ドア。
【請求項５】
制御部は、煙りセンサ、熱センサあるいはガス漏れセンサからの検知信号に基づいて子扉を自動開閉するように駆動部を制御するものであることを特徴とする請求項３又は４に記載の建物用ドア。
【発明の詳細な説明】
【技術分野】
【０００１】
本発明は、通風（換気）機能を備えた建物用ドアに関する。
【背景技術】
【０００２】
とくにマンション等の玄関ドアには、通風機能が求められる。通風機能を備えた建物用ドアは、特許文献１，２に開示されている。
【特許文献１】特開平７−２９１５８号公報
【特許文献２】特開平７−３０５５７１号公報
【発明の開示】
【発明が解決しようとする課題】
【０００３】
しかしながら、特許文献１のものは、ドア本体に通風部を有するパネルを内外に設け、その間に上げ下げ戸を備えた構造を有し、特許文献２のものは、ドア本体に形成した開口部の屋外側に網戸格子を、屋内側に上げ下げ戸を備えた構造を有するものである。従って、ドアの制約された厚みの中に設けられる構造であるから、十分な防犯性が確保される強度を有することが困難であり、また、上げ下げ戸を用いるため十分な通風量が得られないという問題がある。
【０００４】
本発明は、上記の点に鑑み、大きな開口部を有しながら、その開口部を防犯のために保護する機構を備えることにより、十分な通風量が確保され、しかも防犯性に優れた建物用ドアを提供することを第１の課題とする。また、通風機能及び防犯機能を備えた建物用ドアを容易に製造することができる構造を提供することを第２の課題とする。
【課題を解決するための手段】
【０００５】
上記課題を解決するため、請求項１の発明は、ドア本体に上下方向に連続する開口部を形成し、その開口部の屋外側部分にガラリを設けるとともに、同開口部の屋内側部分にその開口部を開閉する子扉を取付け、その子扉を閉位置に鎖錠する子扉ロック機構を設けたことを特徴としている。
【０００６】
請求項２の発明は、枠体の屋外側にガラリを設け、同枠体の屋内側に子扉を回転軸により回動自在に支持し、同枠体の上部に前記回転軸を回転する駆動部を設け、同枠体に子扉を閉位置に鎖錠する子扉ロック機構を取付けて通気ユニットを構成し、その通気ユニットをドア本体の開口部に嵌合して前記枠体を屋内側において前記ドア本体に固着して建物用ドアが構成されていることを特徴としている。
【０００７】
請求項３の発明は、上記駆動部には回転軸の回転及びその回転角度を制御する制御部が電気的に接続されていることを特徴としている。
【０００８】
請求項４の発明は、ドア本体又は通気ユニットにドア〜一定範囲内の人の存否を検知する人間センサを設け、その人間センサの存在検知信号に基づいて開放状態の子扉を閉鎖し、不在検知信号に基づいて閉鎖状態の子扉を開放するように駆動部を制御する制御部を通気ユニットに設けたことを特徴としている。
【０００９】
請求項５の発明は、上記制御部が煙りセンサ、熱センサあるいはガス漏れセンサからの検知信号に基づいて子扉を自動開閉するように駆動部を制御することを特徴としている。
【発明の効果】
【００１０】
請求項１の発明によれば、ドア本体に窓のような大きい開口部を設けると、子扉を開放することによりドアでありながら十分な通風量を確保することができ、ドア本体が施錠されていれば、外出時や就寝時にも安全に自然換気が可能である。また、子扉ロック機構を有するので、外出時や就寝時には子扉を閉めロックすることにより、通気を遮断するとともに防犯性を確保することができる。
【００１１】
請求項２の発明によれば、枠体にガラリ、子扉、回転軸、駆動部、子扉ロック機構を取付けた通気ユニットをドア本体の開口部に嵌合し、その枠体をドア本体に固着して構成されるから、通風機能を有するドアの製造が容易であり、枠体は屋内側においてドア本体に固着されるので、通気ユニットを屋外側からドア本体より分離されることがないので、防犯性が一層高い。
【００１２】
請求項３の発明によれば、駆動部に子扉の回転軸の回転及びその回転角度を制御する制御部が電気的に接続されているので、任意に通風量を加減し、又は通風を停止することことができる。
【００１３】
請求項４の発明によれば、人のドアへの接近・離間に応じて自動的に子扉の開閉をさせることができるので、優れた防犯効果が得られる。
【００１４】
請求項５の発明によれば、煙りセンサ、熱センサあるいはガス漏れセンサからの検知信号に基づいて子扉が自動開閉されるので、室内の発煙、火災発生その他の原因による異常高温あるいはガス漏れに応じて自動的に子扉を開放され、又は閉鎖されるので、煙り又は熱の放散・排出を促進したり、開放を放置する場合には火災燃焼を促進する外気の導入を阻止したりすることができる。
【発明を実施するための最良の形態】
【００１５】
次に、本発明の最良の実施形態について図面に基づいて説明する。
図１は本発明の一実施例である建物用ドアの屋外側から見た正面図、図２は同じく背面図、図３は子扉を開放した状態における背面図である。図４はドア枠とこれに枢支されたドア本体のみの縦断面図、図５は同じく横断面図、図６は図１の建物用ドアから子扉のみを抽出して示す図であり、（ａ）は正面図、（ｂ）は背面図、図７は図６（ｂ）のＸ−Ｘ線に沿った中間省略断面図、図８は同じく図６（ｂ）のＹ−Ｙ線に沿った中間省略断面図である。図９は駆動部の制御系統の一例を示す回路図である。
【００１６】
図において、Ａはドア枠であり、従来と同様に、上下の横枠１ａ，１ｂと左右の縦枠１ｃ，１ｄを矩形に枠組みしてなっている。Ｂはドア本体であり、従来と同様に、ドア枠Ａの一方の縦枠１ｄに蝶番２により枢支されており、内外両側にドアノブ３が設けられている。図示されていないが、ドア枠Ａとドア本体Ｂには、従来と同様のロック機構が備えられている。
【００１７】
ドア本体Ｂは、上下の横パネル４と左右の縦パネル５を正面形状が中空矩形となるように接合してなっている。横パネル４は、図４に示すように、鋼板をコ字形又は角型Ｊ字形に加工してなる一対の横材４ａ，４ｂを所定距離に離間して配置し、これらを薄鋼板４ｃで包囲し、ビス４ｄにより固着して構成されており、所要の強度を有している。縦パネル５は、図５に示すように、横パネルと同様に、鋼板をコ字形又は角型Ｊ字形に加工してなる一対の横材５ａ，５ｂを所定距離に離間して配置し、これらを薄鋼板５ｃで包囲し、ビス５ｄにより固着して構成されており、所要の強度を有している。そして、薄鋼板４ｃと薄鋼板５ｃの長手方向端部は４５度に切断されていて、その切断面を突き合わせて溶接により接合されている。ドア本体Ｂは、鋼製とすることにより、防火性又は耐火性を備えている。
【００１８】
ドア本体Ｂには、上下の横パネル４と左右の縦パネル５の間において屋内外方向に貫通する開口部６が形成されている。そして、その開口部６に本発明の要部である通気ユニットＣが嵌合され、ドア本体Ｂに固着されている。
【００１９】
通気ユニットＣは、図７及び図８に示すように、上枠７ａ、下枠７ｂ及び左右の縦枠７ｃを矩形に枠組みしてなる枠体７を有し、その枠体の上部に駆動部取付け用ボックス８が設けられている。このボックス８は、上，下板８ａ，８ｂと左右の側板８ｃとを有して、その間に形成された収容空間８ｄに、その長手方向一端部近傍においてギヤドモータ９からなる駆動体が取付けられている。９ａはその取付板である。ボックス８の正面には、駆動体９のメンテナンスのためにカバー８ｅが着脱自在に取付けられている。
【００２０】
枠体７のボックス８と下枠７ｂ及び左右の縦枠７ｃの間には換気構造を構成するため開口部７ｄが形成され、その開口部７ｄの屋外側部分に既知のガラリを構成する羽根と同様の羽根１０ａが所定間隔で固着されてガラリ１０が構成されている。ガラリには、防虫網（図示省略）が張設されることが好ましい。ガラリによる換気構造は、換気量（通風量）を多くするために少なくとも２０００ｃｍ2 程度の開口部７ｄを形成することが望ましい。また、防犯のため、ガラリ１０は屋外側から屋内側を透視できない構造とされている。
【００２１】
また、枠体７の開口部７ｄの屋内側部分には、その開口部７ｄを開閉する子扉１１が収容され、その幅方向一端部付近において子扉を貫通する回転軸１２がその子扉に固着されている。子扉１１は鋼板製の枠材を矩形に接続してなる枠体１１ａを薄鋼板１１ｂで包囲し接合した耐火構造とされている。回転軸１２の下端部は枠体７の下枠７ｂに回転自在に支持され、回転軸１２の上端部は駆動体の好ましい実施例としてのギアドモータ９の回転軸に結合されている。こうして、ギアドモータ９が回転軸１２を予め規定された回転角度範囲で回転及び反転させると、子扉１１が開口部７ｄを遮蔽する位置と開放する位置とに回動されるようになっている。子扉の開放角度は制御部の設定により任意に調整することができる。
【００２２】
枠体７の回転軸１２と反対側に存在する縦枠７ｃには、その高さ方向中間位置においてその縦枠の中に電気錠１３が設けられている。その電気錠は施錠動作をする時に縦枠７ｃの開口部７ｄに臨む面から突出するデッドボルト１３ａを有している。また、子扉１１の戸先側端面には、閉位置においてデッドボルトに対向して開口する孔１１ｃを有する。こうして、電気錠１３と孔１１ｃにより子扉１１を閉位置に施錠する子扉ロック機構が構成されている。
【００２３】
通気ユニットＣの枠体７には、例えば縦枠７ｃの屋内側面に、操作盤１４が設けられている。この操作盤には、少なくとも子扉を開放し、又は閉鎖するために手動操作する開閉スイッチ１４ａが設けられている。そして、縦枠７ｃの中には、前記ギアドモータ９及び電気錠１３を制御する制御部１５が設けられている。操作盤１４及び制御部１５は通気ユニットＣ以外の場所に取付けることも可能であるが、通気ユニットＣに設けると、別途取付け工事を必要としない利点がある。図６（ｂ）においてＬ１，Ｌ２は電力線及び制御線である。
【００２４】
制御部１５には、図９に例示するように、後記各センサからの検知信号を入力して必要な処理を行う処理回路１５ａと、その処理回路の処理結果により電気錠１３を制御するための制御回路１５ｂと、ギアドモータ９を制御するための制御回路１５ｃとを有する。
【００２５】
処理回路１５ａには、子扉開閉スイッチ１４ａを操作した時の出力信号が入力され、これに基づいて、子扉を開放させる条件又は閉鎖させる条件のいずれが充足されるかを判断し、その判断結果に基づいて制御回路１５ａ及び制御回路１５ｂに出力する。開放条件が充足されている場合は、制御回路１５ａが制御信号を電気錠１３に与えて解錠させるとともに、制御回路１５ａが制御信号をギヤドモータ９に与えて回転軸１２を所定方向に所定角度回転させて子扉１１を開放させるようになっている。また、閉鎖条件が充足されている場合は、制御回路１５ａが制御信号を電気錠に与えて解錠させるとともに、制御回路１５ｂが制御信号をギヤドモータ９に与えて回転軸１２を所定方向に所定角度回転させて子扉１１を開放させるようになっている。
【００２６】
上記のようにギヤドモータ９、ガラリ１０、子扉１１、電気上１３、操作盤１４及び制御部１５を組込んだ通気ユニットＣは、図７，８に示すようにドア本体Ｂの開口部６に嵌合し、枠体７の外周に溶接などにより固着したアングル材等の接続部材１６をドア本体Ｂの上下及び左右のパネル４，５にビス１７等により屋内側から固着されている。屋内側から固着されているので、通気ユニット全体を屋外側から不正に取外すことは不可能であり、高い防犯性が具備されている。
【００２７】
本発明の好ましい実施例においては、通気ユニットＣにドアの少なくとも外側に、また希望により内外両側に、ドアから一定範囲内に人が接近したことを感知する赤外線センサ等の市販の人感センサＳ１を設けて、そのセンサの検知信号を制御部１５の処理回路１５ａに与え、感知信号を入力した時は、制御回路１５ｃを介して、開放されている子扉を閉める制御信号をギヤドモータ９に与えるとともに、制御回路１５ｂを介して電気錠１３に施錠信号を与え、また、人感センサＳ１から感知信号を入力しなくなった時は、電気錠１３に解錠信号を与えるとともに、閉められている子扉を開ける制御信号をギヤドモータ９に与えるように構成されている。
【００２８】
これにより、子扉が開放されている時に玄関ドアの外側又は内側に人が接近した時は自動的に子扉が閉められ、施錠される。また、その人が玄関ドアから遠ざかった時は、自動的に解錠されて子扉が開けられる。したがって、在宅中、外出中のいずれを問わず、安心して玄関に十分な通風を行うことができる。さらに、ドア本体Ｂを開閉する際は、子扉１１がその前に閉まっているので、安全である。
【００２９】
図９に例示するように、通常、屋内に設置される各種のセンサ、例えば、煙りセンサＳ２、熱センサＳ３あるいはガス漏れセンサＳ４などを制御部１５に電気的に接続し、各センサの検知信号を制御部１５に与えることにより、室内での異常な発煙、室内の異常高温などの過熱あるいはガス漏れなどが発生した時には、閉鎖されている子扉を自動的に開放させて玄関の通気性を良くして、煙り、熱あるいは漏洩ガスの迅速な放散又は排出を促進することができる。また、火災センサＳ５と結合した時は、火災発生検知に基づいて開放されている子扉を自動的に閉鎖して、開放を放置する場合の外気導入よる燃焼促進を抑制することができる。風センサや雨センサＳ６を結合した場合は、強風又は降雨に基づいて子扉を自動的に閉鎖して、玄関への強風の吹き込みや汚染を防止することができる。
【００３０】
上述のように、本発明による建物用ドアは、大きな開口部を有するので、子扉を開放したときは、従来技術では得られなかった十分な通風量を確保することができる。そして、従来の網戸格子と異なり、ガラリを用いるので、通気部から屋内側への手の挿入が阻止されるので、ドア本体の錠装置のサムターンや子扉のロック機構を不正操作されたり、バール等の器具でドアが破壊されたりするのを有効に防止することができる。さらに、子扉が閉められた状態では、屋内側を透視できず、また、子扉ロック機構により施錠されるので、ドアの破壊やガラリの隙間からの危険物投入等を有効に阻止することができる。
【００３１】
また、本発明は、子扉の自動開閉機構を設けたことにより、防犯又は防災用センサと子扉の開閉機構とを機能的に結合して、子扉の開閉を環境条件に応じてコントロールすることができ、非常時には子扉を自動閉鎖して被害を未然に防止又は軽減し、異常回避時又は鎮静化後は子扉を再び開放して、十分な通風機能を発揮させることができる。
【図面の簡単な説明】
【００３２】
【図１】本発明の一実施例である建物用ドアの屋外側から見た正面図。
【図２】同じく背面図。
【図３】子扉が開放された状態における背面図。
【図４】ドア枠とこれに枢支されたドア本体のみの縦断面図。
【図５】同じく横断面図。
【図６】図１の建物用ドアから子扉のみを抽出して示す図であり、（ａ）は正面図、（ｂ）は背面図。
【図７】図６のＸ−Ｘ線に沿った中間省略断面図。
【図８】同じく図６のＹ−Ｙ線に沿った中間省略断面図。
【図９】電気錠及び駆動部の制御系統の一例を示す回路図。
【符号の説明】
【００３３】
Ａ      ドア枠
Ｂ      ドア本体
６      開口部
Ｃ      通気ユニット
７      枠体
８      駆動体収納ボックス
９      ギヤドモータ（駆動体）
１０    ガラリ
１１    子扉
１３    電気錠
１４    操作盤
１５    制御部
Ｓ１    人感センサ
Ｓ２    煙りセンサ
Ｓ３    熱センサ
Ｓ４    ガス漏れセンサ
Ｓ５    火災センサ
Ｓ６    雨又は風センサ
【図１】
2005207152.tif 000003
【図２】
2005207152.tif 000004
【図３】
2005207152.tif 000005
【図４】
2005207152.tif 000006
【図５】
2005207152.tif 000007
【図６】
2005207152.tif 000008
【図７】
2005207152.tif 000009
【図８】
2005207152.tif 000010
【図９】
2005207152.tif 000011